(57)【特許請求の範囲】
【請求項１】
一対の縦框と一対の横框が組み合わされて枠状に形成される框と、
前記框に張って設けられる網材を備え、
矩形の網戸取付部と、前記網戸取付部より室内側に設けられて、内法の高さと幅が前記網戸取付部の内法における高さおよび幅よりも小さい矩形の開口部と、を有する建物開口部の前記網戸取付部に着脱自在に装着される網戸において、
框内内法の高さと幅の寸法は、前記開口部の内法の高さと幅よりも大きく設定され、
前記縦框および前記横框のいずれか一方は、第一フレームと、第二フレームと、前記第一フレームと前記第二フレームを接続するとともに前記第一フレームに対して奥行方向に回動自在であって前記第二フレームに対して前記奥行方向に回動自在な折畳部材とを有し、
前記折畳部材は、中間で前記奥行方向へ折れ曲がり可能である
ことを特徴とする網戸。
【請求項２】
前記折畳部材は、一端が前記第一フレームに連結される第一連結部と、前記第一連結部の他端に前記奥行方向へ回動自在に連結される第一リンクと、一端が前記第二フレームに連結される第二連結部と、前記第二連結部の他端に前記奥行方向へ回動自在に連結される第二リンクとを有し、前記第一リンクと前記第二リンクとが前記奥行方向へ折れ曲がり可能に連結されている
ことを特徴とする請求項１に記載の網戸。
【請求項３】
前記折畳部材に並列配置されて、前記第一フレームと前記第二フレーム内に移動可能に固定されるスライド棒を備える
ことを特徴とする請求項１または２に記載の網戸。
【請求項４】
前記建物開口部には、前記框の外周側面に対向する取付枠が設けられ、
前記取付枠は、前記框の外周側面に対向する差込穴を有し、
前記一対の縦框および前記一対の横框のうち前記折畳部材を備えていない一方の框の前記網材より室内側には、前記框の奥行方向側面に垂直な軸に回転自在に装着されるとともに前記框を前記取付枠に固定するレバーがそれぞれ設けられており、
前記レバーは、前記軸に対して一方側に設けられるとともに前記一方の框の内側へ突出可能な持ち手と、前記軸に対して他方側に設けられるとともに前記一方の框の外側へ突出可能なフックとを備え、
前記持ち手を前記一方の框内に収容すると前記フックが前記一方の框の外周側面より外方へ突出し、前記持ち手を前記一方の框の内周側面より内方へ突出させると前記フックが前記一方の框内に収容される
ことを特徴とする請求項１から３のいずれか一項に記載の網戸。
【請求項５】
前記框の外周側に少なくとも１つの突起を設け、
前記取付枠の内周側の前記突起に対向する位置に窪みを設け、
前記突起を前記窪みに収容させることにより、前記網戸を位置決めする
ことを特徴とする請求項４に記載の網戸。
【発明の詳細な説明】
【技術分野】
【０００１】
この発明は、住宅、事務所等の窓枠に用いられ、昆虫等の室内への侵入を防ぐ網戸に関する。
【背景技術】
【０００２】
近年、トイレやキッチンなどの大きな開口をとることができない場所に風や光を取り入れることができる滑り出し窓を採用した住宅等が増えている。
【０００３】
このような滑り出し窓を採用する場合、網戸を窓の外側へ設置できないため、網戸を窓（障子）の室内側に設けるようにしている。
【０００４】
障子の室内側に網戸を設ける場合、網戸の框が障子の採光部の面積を狭くして、窓の採光性が損なわれてしまうので、網戸の框をサッシ枠に隠す工夫がなされる場合がある。
【０００５】
たとえば、特許文献１に開示されたサッシは、建物開口部に取り付けたサッシ枠と、サッシ枠内に開閉自在に設けた障子と、サッシ枠内の障子の室内側に設けた網戸を備えている。また、サッシ枠は、網戸を取り付けるための段部を備えており、この段部と障子との間に網戸の框が装着される。そして、框の内法の長さと幅は、それぞれ、サッシ枠の内法の長さと幅より長いため、室内側正面視で網戸の框が、サッシ枠に隠れて見えないようになっている。
【０００６】
また、特許文献１の構造では、室内側からサッシ枠の段部へ網戸の框を取り付け、および取り外しを可能とするため、前記框のうち横框を伸縮させるようになっている。具体的には、横框は、中間で左右に分割されるフレームと、左側と右側のフレーム内にスライド自在に入子式に挿入される挿入部材とを備えている。
【０００７】
そして、左右のフレームを接近させると、框の横幅が狭まって、サッシ枠の段部に取り付けた網戸を取り外しでき、また、フレーム同士を接近させて網戸をサッシ枠の開口を通してサッシ枠の上記段部へ配置し、その後、フレーム同士と離間させて框の横幅を広げることでサッシ枠の上記段部へ取り付けできるようになっている。
【０００８】
これにより、網戸の框が障子の採光部を遮ることなく、採光性を確保することができる。
【先行技術文献】
【特許文献】
【０００９】
【特許文献１】特開２０１１−２４７０７４
【発明の概要】
【発明が解決しようとする課題】
【００１０】
しかしながら、従来の構造にあっては、左側のフレームと右側のフレームとを挿入部材を介して連結していて、これらフレームを接近、離間させる構造となっている。挿入部材に網を固定してしまうと、左右フレームを接近させることができなくなってしまうので、挿入部材には、網を固定できない。そのため、網が撓むと挿入部材と網との間に隙間が生じて、そこから昆虫等の侵入を許したり、網戸の美観を損なってしまう問題があった。
【００１１】
そこで、本発明の目的は、室内側から着脱可能であっても框で障子を遮ることがなく、框の４辺全てに網材を張ることができる網戸の提供である。
【課題を解決するための手段】
【００１２】
前記課題を解決するための手段は、一対の縦框と一対の横框が組み合わされて枠状に形成される框と、前記框に張って設けられる網材を備え、建物開口部の網戸取付部に着脱自在に装着される網戸であって、前記縦框および前記横框のいずれか一方は、第一フレームと、第二フレームと、前記第一フレームと前記第二フレームを接続するとともに前記第一フレームに対して奥行方向に回動自在であって前記第二フレームに対して前記奥行方向に回動自在な折畳部材とを有し、前記折畳部材は、中間で前記奥行方向へ折れ曲がり可能であることを特徴とする。また、前記折畳部材は、一端が前記第一フレームに連結される第一連結部と、前記第一連結部の他端に前記奥行方向へ回動自在に連結される第一リンクと、一端が前記第二フレームに連結される第二連結部と、前記第二連結部の他端に前記奥行方向へ回動自在に連結される第二リンクとを有し、前記第一リンクと前記第二リンクとが前記奥行方向へ折れ曲がり可能に連結されているようにしてもよい。
【００１３】
また、前記折畳部材に並列配置されて、前記第一フレームと前記第二フレーム内に移動可能に固定されるスライド棒を備えるようにしてもよい。この構成によると、スライド棒が折畳部材の剛性を高めるとともに、スライド棒が第一フレームと第二フレーム内を摺動し、折畳部材の折り曲げ駆動をスムーズにできる。
【００１４】
また、前記建物開口部には、前記框の外周側面に対向する取付枠が設けられ、前記取付枠は、前記框の外周側面に対向する差込穴を有し、前記一対の縦框および前記一対の横框のうち前記折畳部材を備えていない一方の框の前記網材より室内側には、前記框の奥行方向側面に垂直な軸に回転自在に装着されるとともに前記框を前記取付枠に固定するレバーがそれぞれ設けられており、前記レバーは、前記軸に対して一方側に設けられるとともに前記一方の框の内側へ突出可能な持ち手と、前記軸に対して他方側に設けられるとともに前記一方の框の外側へ突出可能なフックとを備え、前記持ち手を前記一方の框内に収容すると前記フックが前記一方の框の外周側面より外方へ突出し、前記持ち手を前記一方の框の内周側面より内方へ突出させると前記フックが前記一方の框内に収容されるようにしてもよい。この構成によると、レバーを回動させるだけで網戸を取付枠に固定でき、また、網戸の取り付け、取り外し時には、レバーの持ち手が把手として利用できるため、取り付け、取り外しが容易にできる。さらに、レバーの持ち手は、網戸の固定時には、框内に収容されるため、室内側正面視では見えず、窓の採光性を損ねない。
【００１５】
また、前記框の外周側に少なくとも１つの突起を設け、前記取付枠の内周側の前記突起に対向する位置に窪みを設け、前記突起を前記窪みに収容させることにより、前記網戸を位置決めするようにしてもよい。前記構成によると、網戸の固定時に框が建物開口部に隠れる位置に容易に位置決めすることができる。
【発明の効果】
【００１６】
本発明の網戸によれば、室内側から着脱可能であっても框で障子を遮ることがなく、框の４辺全てに網材を張ることができる。
【図面の簡単な説明】
【００１７】
【図１】本実施の形態に係る窓を示す縦断面図である。
【図２】本実施の形態に係る窓を示す横断面図である。
【図３】本実施の形態に係る網戸を示す室外側正面図である。
【図４（ａ）】網戸の取り付けの動作を説明する図であって、網戸の取り付けの際に、折畳部材を折り畳んで、幅方向長さを短くしている状態の網戸と、一部切欠いて差込穴と窪みを視認できるようにした取付枠を示す斜視図である。
【図４（ｂ）】網戸の取り付けの動作を説明する図であって、レバーのフック部が差込穴に挿入され、網戸が取付枠に仮止めされている状態を示す斜視図である。
【図４（ｃ）】網戸の取り付けの動作を説明する図であって、レバーが回動され、網戸が取付枠に固定された状態を示す斜視図である。
【図５】レバーの動作を説明する図であって、（ａ）は、固定の解除状態を示し、（ｂ）は、固定された状態を示す拡大断面図である。
【図６】本実施の形態に係る横框の折畳部材とスライド棒の構造を説明する拡大図であって、（ａ）は、折畳部材が真っ直ぐな状態を示す一部断面平面図であり、（ｂ）は、（ａ）の縦断面図であり、（ｃ）は、折畳部材が折り畳まれた状態を示す一部断面平面図である。
【図７】図６（ａ）にカバーを設けた状態を示す平面図である。
【発明を実施するための形態】
【００１８】
以下に、図示した本実施の形態に基づいて、図面を参照しながら説明する。いくつかの図面を通して付された同じ符号は、同じ部品か対応する部品を示す。
【００１９】
本実施の形態に係る発明は、いわゆる縦滑り出し窓の網戸として用いられている。ただし、窓の種類は、これに限定されるものではなく、例えば、押し出し窓や外倒し窓などの室内側から、主として、窓外側へ障子が開く窓への適用に向く。
【００２０】
図１、２に示すように、本実施の形態に係る網戸２が適用されたサッシは、建物に開口された建物開口１１の室内側の縁である矩形の建物開口部１１ａの内周に沿って取り付けられている枠状の取付枠５と、取付枠５に開閉自在に取り付けられる障子１と、取付枠５の障子１より室内側に着脱自在に設けられる網戸２と、建物開口１１の室内側から障子１を開閉できる操作部Ｈを備えてなる。
【００２１】
取付枠５は、実施の形態では、図１、図２に示すように、建物開口１１の室内側の縁である建物開口部１１ａの内周に沿って取り付けられる中空の枠体であって、障子取付部５ａと、障子取付部５ａより室内側に設けられて、その内法の高さおよび幅が、障子取付部５ａの内法における高さおよび幅の寸法よりも小さい網戸取付部５ｂと、網戸取付部５ｂより室内側に設けられて、その内法の高さおよび幅が網戸取付部５ｂの内法における高さおよび幅の寸法よりも小さい開口部としての最小開口部５ｃを備えてなる。よって、障子取付部５ａおよび網戸取付部５ｂは、ともに段状に形成されている。
【００２２】
障子１の窓枠１ａは、障子取付部５ａに開閉自在に取り付けられている。また、網戸取付部５ｂは、図４（ａ）に示すように、左右に差込穴５ｄを有し、下側には２箇所に窪み５ｅ，５ｅを有している。なお、取付枠５の障子取付部５ａと網戸取付部５ｂが設けられていれば、内部構造は前記したところに限定されない。
【００２３】
以下、サッシの開閉動作を簡単に説明する。障子１は取付枠５に対して一端が横方向へスライドおよび回転可能に取り付けられており、取付枠５と障子１とには、操作部Ｈの操作によって駆動されるアームがヒンジ結合されている。そして、操作部Ｈでアームを駆動して障子１を窓外側へ押し出すと障子１の一端が取付枠５に対してスライドしつつ、他端が室外側へ開くことで、取付枠５の内法全体を開放できるようになっている。また、反対に、操作部Ｈを逆方向に駆動させると障子１がアームによって取付枠５側へ引き込まれて、障子１を閉じることができる。なお、障子１を開くための構造は、これに限定されるものではない。
【００２４】
障子１は、この場合、窓枠１ａに枠状のスペーサ１ｃを挟んで２枚のガラス板１ｂを張って形成されてなる。このように、障子１には、２枚のガラス板１ｂ，１ｂ間に空気層が設けられるから、空気層が有する断熱作用で、断熱機能を発揮する。
【００２５】
そして、ガラス板１ｂについては、材質や板厚寸法などについて公知のものが利用されて良く、また、熱線入りとされて結露防止構造とされたり、空気層に対向する面に特殊な金属膜がコーティングされて遮熱性が高められていたりしていても良い。
【００２６】
なお、本実施の形態に係る障子１は、ガラス板１ｂの枚数を２枚にしているが、ガラス板１ｂの枚数の多少は、この発明の実施を妨げないため、任意の枚数で良い。
【００２７】
網戸２は、図３に示すように、一対の縦框３ａ，３ａと一対の横框３ｂ，３ｂが組み合わされてなる枠状の框３と、網状の面材である網材４と、網材４を縦框３ａ，３ａと横框３ｂ，３ｂのそれぞれに固定する網戸ロープ１０を備えてなる。
【００２８】
図２に示すように、縦框３ａは、中空のチャンネル材であって、奥行方向の室外側面に２本の突起部３ｅが設けられている。これらの突起部３ｅと縦框３ａの室外側面とで、溝３ｃが形成されている。
【００２９】
図６（ａ）、（ｃ）に示すように、横框３ｂは、左右にそれぞれ設けられた中空の第一フレーム３ｈと第二フレーム３ｉと、第一フレーム３ｈと第二フレーム３ｉに対して、奥行方向に回動自在に連結されるとともに中間で奥行方向に折り曲げ可能な折畳部材１２と、折畳部材１２に並列配置され、第一フレーム３ｈと第二フレーム３ｉ内に移動可能に固定されるスライド棒７を備えている。
【００３０】
図３、図６（ｂ）に示すように、第一フレーム３ｈと第二フレーム３ｉは、室外側端に３本の突起部３ｆが設けられて、これらの突起部３ｆと第一フレーム３ｈおよび第二フレーム３ｉの室外側端とで内側溝３ｊと外側溝３ｋの２つの溝が形成されている。また、図６（ａ）、（ｃ）に示すように、第一フレーム３ｈおよび第二フレーム３ｉの内方には、中空なスライドケース８が収容固定されている。スライドケース８は、筒状であって、第一フレーム３ｈに対しては、図中左端側に設けられ、第二フレーム３ｉに対しては、図中右端側に設けられている。さらに、スライドケース８はそれぞれ、終端に内周が縮径された、縮径端部８ａを備えている。
【００３１】
図６（ａ）〜（ｃ）に示すように、本実施の形態に係る折畳部材１２は、折畳部材１２の両端にそれぞれ設けられ、第一フレーム３ｈと第二フレーム３ｉの内側溝３ｊ，３ｊにそれぞれ嵌め込まれて固定される嵌合部１２ｄ，１２ｄを有する連結部１２ａ，１２ａと、一方の第一連結部１２ａの反嵌合部１２ｄ側に第一関節１２ｅを介して連結される第一リンク１２ｂと、一端が第一リンク１２ｂに第二関節１２ｆを介して連結されるとともに他端が第三関節１２ｇを介して他方の第二連結部１２ａの反嵌合部１２ｄ側に連結される第二リンク１２ｃとを備えている。第一関節１２ｅ、第二関節１２ｆおよび第三関節１２ｇはともに、両側に連結される二つの部材を自身を中心として、奥行方向へ回動可能に連結しており、前記２つの部材を自身を中心として折り畳むようになっている。
【００３２】
より詳細には、図６（ａ）、（ｃ）に示すように、本実施の形態において、第一関節１２ｅおよび第三関節１２ｇは室内側に、第二関節１２ｆは室外側に、それぞれ、肉厚を薄くすることで第一リンク１２ｂおよび第二リンク１２ｃの室外側への回動を可能としている。また、第一リンク１２ｂと第二リンク１２ｃの連結は補強テープの貼付けで補強されてもよい。なお、第一関節１２ｅ、第二関節１２ｆおよび第三関節１２ｇの構造はこれに限定されず、例えば、ヒンジ結合等の継手とされてもよい。
【００３３】
この構造によると、第一フレーム３ｈと第二フレーム３ｉを近づけると、第一関節１２ｅと第三関節１２ｇが奥行方向に回動し、第二関節１２ｆが、奥行き方向に折れ曲がるため、折畳部材１２は、図６（ｃ）に示すように、尺取虫動作のように折り畳まれる。
【００３４】
また、スライド棒７は、両端部にそれぞれ縮径された縮径部７ａを備える丸棒状の部材である。このスライド棒７は、第一フレーム３ｈと第二フレーム３ｉの内方に設けられたスライドケース８内に摺動自在に収容されている。スライド棒７は、スライドケース８に対してスライド可能となっており、第一フレーム３ｈと第二フレーム３ｉの軸方向への接近および離間をガイドする。スライド棒７の縮径部７ａは、スライドケース８の縮径端部８ａの内周を通過できるが、それ以外の部位は通過できないようになっている。したがって、スライド棒７に対して、第一フレーム３ｈと第二フレーム３ｉの最接近距離を規制してそれ以上の接近を阻止するようになっている。なお、スライド棒７の形状は丸棒状には限定されず、例えば、断面三角状や断面四角状等とされてもよい。
【００３５】
また、折畳部材１２の連結部１２ａ、第一リンク１２ｂ、第二リンク１２ｃには、折畳部材１２を真っ直ぐにしたときに、第一フレーム３ｈおよび第二フレーム３ｉに設けられている外側溝３ｋと一連となる溝がそれぞれ設けられている。
【００３６】
そして、折畳部材１２の嵌合部１２ｄ，１２ｄが、第一フレーム３ｈおよび第二フレーム３ｉの内側溝３ｊ，３ｊにそれぞれ嵌め込まれて固定されることで、折畳部材１２と第一フレーム３ｈおよび第二フレーム３ｉが一体化されて横框３ｂが形成される。すると、第一フレーム３ｈおよび第二フレーム３ｉの外側溝３ｋと、連結部１２ａ，１２ａ、第一リンク１２ｂ、第二リンク１２ｃに設けられた溝がつながって、横框３ｂの室外側端に一連の溝３ｄが形成される。
【００３７】
なお、嵌合部１２ｄ，１２ｄを、第一フレーム３ｈと第二フレーム３ｉの内側溝３ｊ，３ｊにそれぞれ嵌め込んで固定するが、接着剤等で嵌合部１２ｄと内側溝３ｊを接着して分離できないようにしてもよい。
【００３８】
また、縦框３ａと横框３ｂは、コーナーブロック１３を介装して、連結され、框３を構成している。コーナーブロック１３は、框３の四隅に設けられ、縦框３ａと横框３ｂ側にそれぞれ突起する挿入部を有するＬ字状の部材であって、縦框３ａと横框３ｂの内方にコーナーブロック１３の挿入部を挿入することで、嵌合されて縦框３ａと横框３ｂを連結できる。
【００３９】
また、コーナーブロック１３にも室外側面に、縦框３ａおよび横框３ｂと同様の溝３ｇが設けられており、縦框３ａと横框３ｂをコーナーブロック１３を介して連結すると、これらの溝がつながって、框３の四辺全てに一連の溝が設けられる。なお、コーナーブロック１３を介さずに直接縦框３ａと横框３ｂを連結してもよい。
【００４０】
また、框３の縦框３ａの内法の幅寸法、つまり、縦框３ａ，３ａ同士の内周面間隔は、取付枠５の最小開口部５ｃの内法の幅方向の長さよりも長く、横框３ｂ，３ｂ同士の内周面間隔は、取付枠５の最小開口部５ｃの内法の高さ方向の長さより長く設定される。これにより、網戸２を網戸取付部５ｂに取り付けると、框３が取付枠５の最小開口部５ｃに隠されて室内側から見た正面視で、見えなくなり、サッシの採光性を確保することができるとともに美観を損なわない。
【００４１】
なお、本実施の形態においては、建物開口部１１ａの内周に沿って設けられた取付枠５の最小開口部５ｃによって、框３が隠されているが、取付枠５を設けずに、建物開口部１１ａの内法の幅方向と高さ方向の長さのみを短くして、框３を隠す段差を作るようにしてもよく、この場合、取付枠５が不要になるため、材料を減らすことができる。
【００４２】
また、図３に示すように、横框３ｂのコーナーブロック１３の下端には、それぞれ、突起１３ａ，１３ａが設けられている。これら突起１３ａ，１３ａは、框３を網戸取付部５ｂに嵌めると、突起１３ａ，１３ａがそれぞれ網戸取付部５ｂに設けた窪み５ｅ，５ｅに挿入されるようになっている。
【００４３】
網材４は、網状の矩形の面材であって、四隅が縦框３ａ，３ａと横框３ｂ，３ｂに固定されて、框３の室外側に張られて、昆虫等の室内への侵入を遮断する。また、材質は特に限定されるものではないが、通常の網戸に用いられる網材を使用することができる。これには、例えば、ステンレス鋼、ポリプロピレン、ガラス繊維、ポリ塩化ビニル、ポリエステル等による網材を挙げることができる。
【００４４】
網戸ロープ１０は、環状に形成されたロープであって、縦框３ａ，３ａの室外側面に設けられた溝３ｃと、横框３ｂ，３ｂの室外側面に設けられた溝３ｄに網材４の四隅を巻き付けた状態で、網戸ロープ１０を溝３ｃ，３ｄに挿入することで、網材４を、框３に固定している。
【００４５】
なお、網戸ロープ１０の材質は特に限定されないが、網戸ロープ１０は、上述の通り、縦框３ａおよび横框３ｂの室外側に設けられた溝３ｃ，３ｄに挿入されるため、柔軟性のある材料、例えばゴム系の材料であることが好ましい。
【００４６】
上述した構成を備える網戸２は、折畳部材１２を折り畳んで、横框３ｂを尺取虫動作のように折り畳んで第一フレーム３ｈと第二フレーム３ｉを接近させることで、框３の幅寸法を狭めることができる。
【００４７】
また、框３には、四辺全てに一連の溝が設けられているため、網材４を四辺全てに固定できる。
【００４８】
また、図７に示すように、本実施の形態に係る横框３ｂ，３ｂには、コの字状のカバー１４が、折畳部材１２とスライド棒７を囲むようにして設けられている。カバー１４は、カバー１４の開口部が折畳部材１２側に、底部がスライド棒７側になるように設けられており、折畳部材１２が、折り畳まれるのを邪魔しない。
【００４９】
また、図４（ｂ）、図５（ａ）、（ｂ）に示すように、本実施の形態に係る縦框３ａ，３ａは、縦框３ａ，３ａ同士が対向する面である内周面に収容部３ｌと一対のレバー６，６を備えている。このレバー６は、縦框３ａ内で固定される軸６ｃを境に内周側に延びる一端と外周側に延びる他端にそれぞれ持ち手６ａとフック６ｂを有している。軸６ｃは、縦框３ａに対し、奥行き方向側面に垂直に設けられている。よって、レバー６は、縦框３ａに対して、室内側から見て、時計及び反時計方向に回動できるようになっている。そして、レバー６を回動させて、持ち手６ａを框３の内側へ突出させると、フック６ｂは、縦框３ａ内に収容され、反対に、レバー６を回動させて持ち手６ａを縦框３ａ内へ収容すると、フック６ｂが框３ａの外側へ突出するようになっている。
【００５０】
縦框３ａの内周面に設けられる収容部３ｌは、少なくともレバー６の持ち手６ａの長さと厚みを収容できる大きさの窪みであればよい。
【００５１】
以下、網戸２の取り付け方法について詳細に説明する。まず、図４（ａ）に示すように、操作部Ｈを駆動させて障子１を少し開口させてから、横框３ｂ，３ｂの折畳部材１２を尺取虫動作のように折り畳みながら、框３の上端を少し室内側に傾けるように斜めにして、下端側から取付枠５内に入れる。この際、持ち手６ａを框内側へ突出させておくようにして、持ち手６ａを両手で掴むことで、折畳部材１２を折り畳んだ状態で、框３を網戸取付部５ｂへ挿入できる。また、持ち手６ａを框内へ突出させた状態では、フック６ｂは縦框３ａ内に収容されている状態であるので、框３を取付枠５の最小開口部５ｃを通過させて網戸取付部５ｂへ挿入する際、フック６ｂが邪魔となることはない。また、この方法によると、網戸２を取付枠５内に入れる際に、大きく傾けて入れる必要がないため、障子１をほとんど開口せずに済み、障子１を大きく開口させる手間が省略されている。
【００５２】
次に、取付枠５の下側の網戸取付部５ｂに設けられた窪み５ｅに合わせて下側の横框３ｂに設けられた突起１３ａを挿入して網戸２を位置決めし、図４（ｂ）に示すように、縦框３ａ，３ａにそれぞれ設けられたレバー６を回転させて持ち手６ａを縦框３ａ内に収容するとともに、フック６ｂを縦框３ａの両側から突出させて、取付枠５の差込穴５ｄに挿入する。
【００５３】
すると、図４（ｃ）に示すように、フック６ｂが網戸取付部５ｂに引っ掛かかり、網戸２が網戸取付部５ｂに固定される。
【００５４】
また、網戸２を取り外す場合は、上記と全く逆の手順を踏むことで、網戸２を取り外すことができる。
【００５５】
この発明によると、通常の網戸であれば、取付枠５が開口している幅が網戸の框の幅よりも狭く設定されると、室内側から取り付け、取り外しをすることは困難であるが、本実施の形態に係る横框３ｂは、前記縦框３ａおよび前記横框３ｂのいずれか一方に、第一フレーム３ｈと第二フレーム３ｉとに対し奥行方向へ回動自在に連結されるとともに中間で奥行方向へ折れ曲がり可能な折畳部材１２を備えているため、図６（ｃ）に示すように、第一関節１２ｅと第三関節１２ｇが奥行方向に回動し、第二関節１２ｆが、奥行き方向に折れ曲がることで、折畳部材１２が尺取虫動作のように折り畳まれ、縦框３ａ，３ａ同士の内周間隔を一時的に取付枠５の内法の幅方向の長さより短くすることができる。したがって、網戸２を室内側から取り付け、取り外しすることができる。
【００５６】
また、折畳部材１２に並列配置され、第一フレーム３ｈと第二フレーム３ｉ内に移動可能に固定されるスライド棒７が設けられているため、スライド棒７が折畳部材１２の剛性を高めるとともに、第一フレーム３ｈと第二フレーム３ｉを近づけて、折畳部材１２を折り畳む際に、スライド棒７が横框３ｂ内に取り付けられたスライドケース８内を摺動して、第一フレーム３ｈと第二フレーム３ｉの移動をスムーズにすることができる。
【００５７】
また、スライド棒７の縮径部７ａは、スライドケース８の終端に設けられる縮径端部８ａの内周を通過できるが、それ以外の部位は通過できないようになっているため、折畳部材１２が折り畳まれるときに、スライド棒７に対して、第一フレーム３ｈと第二フレーム３ｉの過剰な接近が阻止されるので、折畳部材１２に無理な圧縮力が負荷されることが防止される。
【００５８】
また、本実施の形態に係る網戸２には、横框３ｂの折畳部材１２にも、網材４を固定する溝が設けられているため、框３の四辺全てに網材４が固定されており、網材４がしっかりと張られて、撓みにくくなっている。
【００５９】
また、図７に示すように、横框３ｂ，３ｂには、コの字状のカバー１４が、折畳部材１２とスライド棒７を囲むようにして設けられているため、第一フレーム３ｈと第二フレーム３ｉが接近するのをガイドするとともに、室内側の正面から見たときにスライド棒が隠されて、網戸２の美観を損なわない。さらに、カバー１４の開口部端に内側を向く爪を設けて、第一フレーム３ｈおよび第二フレーム３ｉからカバー１４が外れないようにしてもよい。
【００６０】
また、縦框３ａ，３ａは、内周面に収容部３ｌと一対のレバー６，６を備えており、図５（ａ）に示すように、縦框３ａの外周面側に対向する位置に設けられる取付枠５の差込穴５ｄにフック６ｂを挿入し、図５（ｂ）に示すように、レバー６を縦框３ａの内周面に向けて回動させることで、持ち手６ａが収容部３ｌに収容され、フック６ｂが取付枠５の外周に引っ掛かって、網戸２が取付枠５の網戸取付部５ｂに固定される。この結果、網戸２が固定されたときに持ち手６ａが収容部３ｌに収容されるため、レバー６は、取付枠５の最小開口部５ｃに隠れて室内側正面視では見えず、美観と採光性を損ねない。さらに、框３には内周に張った網材４から内向きの張力が作用するので、特に框３の長辺、この場合、縦框３ａが、内側へ撓みやすいが、本実施の形態においては、レバー６で縦框３ａを外側に引っ張りながら固定するため、縦框３ａの撓みも防止できる。なお、横框３ｂが長い場合、縦框３ａに折畳部材１２を設けて、横框３ｂにレバー６を設けて、横框３ｂの撓みを防止してもよい。
【００６１】
また、図３に示すように、取付枠５の下側の網戸取付部５ｂに設けられた窪み５ｅに対向するように、図中下側の横框３ｂの外周面に２つの突起１３ａ，１３ａをそれぞれ設けることで、網戸２の取り付け時に突起１３ａを窪み５ｅに収容し、網戸２をレバー６と差込穴５ｄが対向する位置に位置決めすることができるとともに、網戸２のぐらつきを防止できる。なお、本実施の形態においては、突起１３ａと窪み５ｅを２つずつ設けているが、１つ以上設けてあれば、位置決め機能としては足り、突起１３ａと窪み５ｅの数を増やすほど、網戸２のぐらつきを防止する効果が高まる。
【００６２】
以上、本発明の好ましい実施の形態を詳細に説明したが、特許請求の範囲から逸脱なく改造、変形及び変更ができるのは当然である。
【符号の説明】
【００６３】
１  障子
２  網戸
３  框
３ａ  縦框
３ｂ  横框
３ｈ  第一フレーム
３ｉ  第二フレーム
４  網材
５  取付枠
５ｂ  網戸取付部
５ｄ  差込穴
５ｅ  窪み
６  レバー
６ａ  持ち手
６ｂ  フック
７  スライド棒
１１ａ  建物開口部
１２  折畳部材
１３ａ  突起
【図１】
0006491500.tif 000002
【図２】
0006491500.tif 000003
【図３】
0006491500.tif 000004
【図４（ａ）】
0006491500.tif 000005
【図４（ｂ）】
0006491500.tif 000006
【図４（ｃ）】
0006491500.tif 000007
【図５】
0006491500.tif 000008
【図６】
0006491500.tif 000009
【図７】
0006491500.tif 000010